(57)【要約】 【課題】ローラブラケットを補強することで、オーバーヘッドドアの耐風圧強度を向上させる。【解決手段】オーバーヘッドドアにおいて、ガイドローラ４のローラ軸４０は、パネル１の室内側面部１０の幅方向両端部から対向状に突設された２組の一対のブラケット３０、３１、３２、３３を挿通するパイプ３４内に受け入れられており、パイプ３４には、前記一対のブラケット３０、３１、３２、３３の少なくとも一方のブラケット３０、３３の内側への倒れを規制する補強手段が設けられている。前記補強手段は、前記一対のブラケット３０、３１間、ブラケット３２、３３間に位置して、パイプ３４に外装したアウターパイプ９である。【選択図】図３
2020122339.tif 000002
【特許請求の範囲】
【請求項１】
複数枚のパネルを幅方向に間隔を存して設けた複数のヒンジによって互いに回動可能に連結してなる扉体と、開口部の幅方向両側に設けた左右のガイドレールと、を備え、各パネルの幅方向両端部に設けたガイドローラが前記左右のガイドレールに案内されて昇降することで開口部を開閉するオーバーヘッドドアにおいて、
前記ガイドローラのローラ軸は、パネル面部の幅方向両端部から対向状に突設された一対のブラケットを挿通するパイプ内に受け入れられており、
前記パイプには、前記一対のブラケットの少なくとも一方のブラケットの内側への倒れを規制する補強手段が設けられている、
オーバーヘッドドアにおけるローラブラケットの補強構造。
【請求項２】
前記補強手段は、前記一対のブラケット間に位置して、前記パイプに外装したアウターパイプである、
請求項１に記載のローラブラケットの補強構造。
【請求項３】
上下に隣接するパネルの幅方向両端部を連結するヒンジは、上側のパネル面部に固定した上側プレートと、下側のパネル面部に固定した下側プレートと、上側プレートの下端部位と下側プレートの上端部位を回動可能に連結するヒンジ軸と、からなり、
前記一対のブラケットは、前記上側プレート、前記下側プレートの一方から対向状に立ち上がっており、前記一対のブラケットの基端側には前記ヒンジ軸が設けてある、
請求項１、２いずれか１項に記載のローラブラケットの補強構造。
【請求項４】
上下に隣接するパネルの幅方向両端部には、前記ヒンジがパネル幅方向に並設されており、前記ガイドローラのローラ軸は、２組の一対のブラケットからなる４つのブラケットを挿通するパイプ内に受け入れられており、
前記補強手段は、各ヒンジの一対のブラケット間に位置して、前記パイプに外装されたアウターパイプである、
請求項３に記載のローラブラケットの補強構造。
【発明の詳細な説明】
【技術分野】
【０００１】
本発明は、オーバーヘッドドアにおけるローラブラケットの補強構造に関するものである。
【背景技術】
【０００２】
オーバーヘッドドアは、倉庫やガレージ等の建物の屋外と屋内とを連通する開口部に設置する建具として知られている。オーバーヘッドドアの扉体は、横長方形状の複数枚のセクションすなわちパネルを、ヒンジを介して上下方向に互いに回動可能に連結することで構成されており、各パネルの幅方向左右両端のガイドローラが開口部の幅方向左右に設けたガイドレールに案内されながら上昇、下降することで開口部を開閉する。
【０００３】
図８の従来例に示すように、パネル１の室内側面部１０の幅方向両端部には２組の一対のブラケット３０、３１（ローラブラケット３Ａ´）、一対のブラケット３２、３３（ローラブラケット３Ｂ´）が突設されており、ガイドローラ４は、ローラ軸４０が４つのブラケット３０、３１、３２、３３を挿通するパイプ３４内に挿入された状態で、躯体７から持ち出し状に支持されたガイドレール５内に受け入れられている。特許文献１には、類似の構成を備えたローラブラケットが開示されており、ガイドローラは、ローラ軸が、パネル面部の幅方向両端部から対向状に突設された一対のブラケットを挿通するパイプ内に挿入された状態で、ガイドレール内に受け入れられている。
【０００４】
開口部全閉姿勢にあるオーバーヘッドドアにおいて、パネル１に室外側から室内側に向かって風圧力が加わると、パネル１は幅方向中央部位が室内側に膨出するように撓む（図９上図）。この時、大きい風圧力が作用してパネル１の撓みが大きくなると、パネル１の幅方向端部が傾き（平面視において）ながら、幅方向中央部位に引っ張られ、ローラブラケット３Ａ´、３Ｂ´に負荷がかかり、ガイドローラ４のローラ軸４０を支持するブラケット３０、３１、３２、３３のいずれか１つあるいは複数が変形するおそれがあった。ローラブラケットの変形は、パネルの円滑な昇降動作に影響を与え得るため、大きい風圧力が作用した場合であっても、ローラブラケットの変形を可及的に防止する必要がある。
【０００５】
全閉姿勢のパネルが大きく撓んだ時には、その時のパネルの幅方向端部の挙動や力のかかり方にもよるが（風圧力で膨らむように撓んで、戻って、また撓んだりする）、対向状の一対のブラケットの先端が互いに近づく方向に変形する傾向があることがわかった。図９下図はブラケット３０、３１、３２、３３の１つの変形態様を例示しており、特に、内側のローラブラケット３Ｂ´の内側のブラケット３３が内側に倒れる事象が観察されている。
【特許文献１】特開２００１−３６５７
【発明の開示】
【発明が解決しようとする課題】
【０００６】
本発明は、ローラブラケットを補強することで、オーバーヘッドドアの耐風圧強度を向上させることを目的とするものである。
【課題を解決するための手段】
【０００７】
本発明が採用した技術手段は、
複数枚のパネルを幅方向に間隔を存して設けた複数のヒンジによって互いに回動可能に連結してなる扉体と、開口部の幅方向両側に設けた左右のガイドレールと、を備え、各パネルの幅方向両端部に設けたガイドローラが前記左右のガイドレールに案内されて昇降することで開口部を開閉するオーバーヘッドドアにおいて、
前記ガイドローラのローラ軸は、パネル面部の幅方向両端部から対向状に突設された一対のブラケットを挿通するパイプ内に受け入れられており、
前記パイプには、前記一対のブラケットの少なくとも一方のブラケットの内側への倒れを規制する補強手段が設けられている、
オーバーヘッドドアにおけるローラブラケットの補強構造、である。
【０００８】
１つの態様では、前記補強手段は、前記一対のブラケット間に位置して、前記パイプに外装したアウターパイプである。
１つの態様では、前記一対のブラケット間に位置して１つのアウターパイプが外装されており、前記アウターパイプの一端は一方のブラケットの内面に当接ないし近接しており、前記アウターパイプの他端は他方のブラケットの内面に当接ないし近接している。
なお、一対のブラケット間に位置して複数のアウターパイプを密着状に外装しても良く、この場合、一連のアウターパイプセットの一端が一方のブラケットの内面に当接ないし近接し、一連のアウターパイプセットの他端が他方のブラケットの内面に当接ないし近接する。
前記補強手段は、前記一対のブラケットの少なくとも一方のブラケットの内面に隣接して前記パイプに突設した突部（例えば、パイプに固定したリングやパイプに突成したフランジ等の拡径部）でもよい。
【０００９】
１つの態様では、前記パイプの周面には、対向する一対のブラケットの一方のブラケットの外側、他方のブラケットの外側にそれぞれ隣接して第１突部、第２突部が形成されており、前記一方のブラケットの外面は前記第１突部に当接ないし近接しており、前記他方のブラケットの外面は前記第２突部に当接ないし近接している。１つの態様では、前記突部は、前記パイプの周面の長さ方向両端部に形成した拡径部（例えば、フランジ）である。
【００１０】
１つの態様では、上下に隣接するパネルの幅方向両端部を連結するヒンジは、上側のパネル面部に固定した上側プレートと、下側のパネル面部に固定した下側プレートと、上側プレートの下端部位と下側プレートの上端部位を回動可能に連結するヒンジ軸と、からなり、
前記一対のブラケットは、前記上側プレート、前記下側プレートの一方から対向状に立ち上がっており、前記一対のブラケットの基端側には前記ヒンジ軸が設けてある。
【００１１】
１つの態様では、上下に隣接するパネルの幅方向両端部には、前記ヒンジがパネル幅方向に並設されており、前記ガイドローラのローラ軸は、２組の一対のブラケットからなる４つのブラケットを挿通するパイプ内に受け入れられており、
前記補強手段は、各ヒンジの一対のブラケット間に位置して、前記パイプに外装されたアウターパイプである。
【００１２】
１つの態様では、前記パイプの周面には、前記４つのブラケットの一端に位置する第１ブラケットの外側、前記４つのブラケットの他端に位置する第４ブラケットの外側にそれぞれ隣接して第１突部、第２突部が形成されており、前記第１ブラケットの外面は前記第１突部に当接ないし近接しており、前記第４ブラケットの外面は前記第２突部に当接ないし近接している。１つの態様では、前記突部は、前記パイプの周面の長さ方向両端部に形成した拡径部（例えば、フランジ）である。
【発明の効果】
【００１３】
本発明では、ローラブラケットの補強手段を設けたことによって、風圧力によってパネルが撓んだ場合であっても、パネル幅方向のローラブラケットの変形を防止し、オーバーヘッドドアの耐風圧強度を向上させることができる。
【図面の簡単な説明】
【００１４】
【図１】全閉姿勢にあるオーバーヘッドドアを室内側から見た正面図である。
【図２】全閉姿勢にあるオーバーヘッドドアの側面図である。
【図３】（Ａ）本実施形態に係るローラブラケットの正面図、（Ｂ）本実施形態に係るローラブラケットの側面図、（Ｃ）本実施形態に係る補強手段としてのアウターパイプを示す図である。
【図４】本実施形態に係るローラブラケットの平面図である。
【図５】図４の状態からパネルに風圧が作用した状態を示す図である。
【図６】他の実施形態に係るローラブラケットの平面図である。
【図７】他の実施形態に係るローラブラケットの平面図である。
【図８】従来のローラブラケットの平面図である。
【図９】図８の状態からパネルに風圧が作用した状態を示す図である。
【発明を実施するための形態】
【００１５】
［Ａ］オーバーヘッドドアの全体構成
図１は、全閉姿勢にあるオーバーヘッドドアを室内側から見た正面図であり、図２はオーバーヘッドドアの側面図である。オーバーヘッドドアの扉体は、横長方形状の複数枚のパネル１を、ヒンジ２を介して上下方向に互いに回動可能に連結することで構成されている。
【００１６】
各パネル１の幅方向左右両端（本実施形態では、室内側面部１０の幅方向左右両端）にはヒンジと一体形成されたローラブラケット３が設けてある。ローラブラケット３の詳細な構成については、後述する。ローラブラケット３には、ガイドローラ４が支持されており、扉体は、各パネル１の左右両端のガイドローラ４が開口部の幅方向左右に設けたガイドレール５に案内されながら上昇、下降することで開口部を開閉する。
【００１７】
図２に示すように、ガイドレール５は、開口部の高さ方向に延びる第１部位５０と、第１部位５０の上方から室内側に向かって後方に延びる湾曲状の第２部位５１と、第２部位５１の後方から天井に沿って後方に延びる第３部位５２と、からなる。第１部位５０は、下方から上方に向かって室内側へ緩やかに傾斜している。第３部位５２は、室内側に向かって上方に緩やかに傾斜している。
【００１８】
開口部全閉状態では各パネル１はガイドレール５の第１部位５０に位置することで複数枚のパネル１が垂直姿勢となり、最下位のパネル１の下面が床面ＦＬに着床することで、開口部を閉鎖する。開口部全閉状態から、各パネル１が垂直姿勢から第３部位５２に位置するほぼ水平姿勢まで引き上げられて、扉体が室内側空間の天井ＣＬに沿って横方向に延びた姿勢となって、開口部全開状態となる。
【００１９】
ガイドレール５（第１部位５０）は、開口部のほぼ全高に亘って垂直状に延びる支持枠６（図４等参照）を介して、開口部左右の躯体７から持ち出し状に支持されている。支持枠６は、第１辺６０と第２辺６１とから断面視Ｌ形状を備えた長尺部材であり、第１辺６０が躯体７に固定され、第２辺６１にガイドレール５（第１部位５０）が固定されている。
【００２０】
パネル１は、室内側面部１０と、室外側面部１１と、幅方向左右の側面１２を備えており、パネル１の幅方向両端部には縦框１２´が設けてある。縦框１２´は、パネル１の室内側面部１０に密着する第１見付辺１２０と、パネル１の室外側面部１１に密着する第２見付辺１２１と、見込辺１２２と、から断面視ほぼコ字状に形成されており、見込辺１２２がパネル１の側面１２となっている。パネル１の上面１３は、室内側部位が凸状の段状であり、パネル１の下面１４は、室外側部位が下向き凸状の段状であり、開口部全閉状態では、上側に位置するパネル１の段状の下面１４に下側に位置するパネル１の段状の上面１３が当接するようになっている。
【００２１】
本実施形態に係るパネル１の室内側面部１０には、縦框１２´の第１見付辺１２０に隣接して、パネル１の高さ方向に延びる縦枠１５が設けてある。縦枠１５は断面視ハット型を有しており、室内側面部１０と略面一の面部１５０と、断面視Ｌ形状の左右の脚部１５１を備えている。本実施形態に係るパネル１の室内側面部１０は凹状部位を備えており、縦枠１５の脚部１５１が凹状部位に固定されることで、面部１５０が室内側面部１０（縦框１２´の第１見付辺１２０）と略面一となっている。図１、図３（Ａ）に示すように、パネル１の室内側面部１０において、縦框１２´の第１見付辺１２０と、縦枠１５の面部１５０は、僅かな隙間を存して並行状に高さ方向に延びている。第２ローラブラケット３Ｂを固定するための縦枠１５の構成や形状は、図示のものに限定されるものではない。
【００２２】
オーバーヘッドドアは、全閉姿勢の扉体の上動を規制する施錠装置を備えている。オーバーヘッドドアの扉体の下から２番目のパネル１の幅方向左右両端には、係止姿勢と退避姿勢の間で移動可能であり、係止姿勢をとるように付勢されている左右のラッチＬが設けてある。下降する扉体の下端が床面ＦＬに着床して全閉状態となった時に、左右のラッチＬが、ガイドレール５の第１部分５０の所定高さ位置に設けられた左右のラッチ掛かり（図示せず）に係止して施錠状態となって扉体の上動が規制される。図１に示すように、パネル１の幅方向中央部位には、ワイヤＷ１、Ｗ２によって左右のラッチＬに連結された解錠操作部８が設けてあり、開口部を開放する際には、解錠操作部８の回動操作によって、施錠状態を解除して、扉体を上昇させる。
【００２３】
開口部の上方には、バランススプリング１６を備えた回転軸１７が配設されており、回転軸１７の両端部に軸支したドラム１８に一端をそれぞれ固定したワイヤ（図示せず）の他端を、最下位のパネル１の左右両端のワイヤ固定部（図示せず）にそれぞれ接続して、バランススプリング１６の巻き上げ方向の付勢力により全閉姿勢にある扉体を開放方向（上方）に付勢するように構成されている。本実施形態に係るオーバーヘッドドアは手動式であるが、本発明に係るオーバーヘッドドアのブラケット構造を採用し得るオーバーヘッドドアは、手動式、電動式を問わない。
【００２４】
［Ｂ］オーバーヘッドドアのローラブラケット構造
オーバーヘッドドアのローラブラケット３は、各パネル１の室内側面部１０の幅方向両端部位に設けてあり、ローラブラケット３によりガイドローラ４が支持されている。本実施形態に係るローラブラケット３には、ヒンジが一体化されており、すなわち、ローラブラケット３が、パネル１の幅方向両端部位のヒンジとして機能する。
【００２５】
本実施形態に係るオーバーヘッドドアのローラブラケット３は、パネル１の室内側面部１０の幅方向に隣接して設けた外側の第１ローラブラケット３Ａと、内側の第２ローラブラケット３Ｂと、の２つのローラブラケット３Ａ、３Ｂからなる。第１ローラブラケット３Ａのブラケット３０、３１、第２ローラブラケット３Ｂのブラケット３２、３３からなる４つのブラケット３０、３１、３２、３３には、ガイドローラ４のローラ軸４０が長さ方向に移動可能に支持されており、ローラ軸４０の先端に設けたガイドローラ４は、パネル１の側面１２から突出しており、ガイドレール５内に受け入れられている（図４等参照）。
【００２６】
本実施形態では、ガイドレール５の第１部位５０が下方から上方に向かって室内側へ緩やかに傾斜しているのに対して、開口部全閉状態では各パネル１は垂直姿勢にあるため、パネル１の室内側面部１０とガイドレール５の第１部位５０との距離は、パネル１が上側に位置するにしたがって大きくなる。したがって、各パネル１の室内側面部１０とガイドレール５の第１部位５０内を移動するガイドローラ４（ブラケット３０、３１、３２、３３におけるローラ軸４０）との距離（室内側面部１０に対するブラケット３０、３１、３２、３３の突出寸法）は、垂直姿勢にあるパネル１の高さ位置によって異なり得る点に留意されたい。例えば、図３に示すブラケット３０、３１、３２、３３の突出寸法と、図４〜図７に示すブラケット３０、３１、３２、３３の突出寸法は異なる。
【００２７】
図３に示すように、第１ローラブラケット３Ａは、上下に隣接する２枚のパネル１において、上側のパネル１の幅方向両端部の縦框１２´の第１見付辺１２０に固定された第１プレート２０と、下側のパネル１の幅方向両端部の縦框１２´の第１見付辺１２０に固定された第２プレート２１と、を備えている。第１プレート２０は、左右の立ち上がり片２００を備えており、第１プレート２０の下端にはパイプ２２が固定されている。第２プレート２１は、左右の立ち上がり状の第１ブラケット３０、第２ブラケット３１を備えており、ブラケット３０、３１の基端側かつ上側部位には、第１プレート２０に固定されたパイプ２２が挿通されており、パイプ２２がヒンジ軸となっている。すなわち、上側の第１プレート２０と、下側の第２プレート２１と、パイプ２２とからヒンジが構成されている。パイプ２２の長さ方向両端部には、第１ブラケット３０、第２ブラケット３１の外側に位置して、拡径部２２０が形成されている。
【００２８】
図３に示すように、第２ローラブラケット３Ｂは、上下に隣接する２枚のパネル１において、上側のパネル１の幅方向両端部の縦框１２´の第１見付辺１２０に隣接した縦枠１５の面部１５０に固定された第１プレート２０と、下側のパネル１の幅方向両端部の縦框１２´の第１見付辺１２０に隣接した縦枠１５の面部１５０に固定された第２プレート２１と、を備えている。第１プレート２０は、左右の立ち上がり片２００を備えており、第１プレート２０の下端にはパイプ２２が固定されている。第２プレート２１は、左右の立ち上がり状の第１ブラケット３２、第２ブラケット３３を備えており、ブラケット３２、３３の基端側かつ上側部位には、第１プレート２０に固定されたパイプ２２が挿通されており、パイプ２２がヒンジ軸となっている。すなわち、上側の第１プレート２０と、下側の第２プレート２１と、パイプ２２とからヒンジが構成されている。パイプ２２の長さ方向両端部には、第１ブラケット３２、第２ブラケット３３の外側に位置して、拡径部２２０が形成されている。
【００２９】
第１ローラブラケット３Ａの第１ブラケット３０、第２ブラケット３１、第２ローラブラケット３Ｂの第１ブラケット３２、第２ブラケット３３には、パイプ２２の挿通部分に対して、先端側かつ下側に位置して、パイプ３４が挿通されており、パイプ３４には、ガイドローラ４のローラ軸４０が挿入されている。図３に示すブラケット３０、３１、３２、３３では、側面視において、パイプ３４は、基端側かつ上側に位置するパイプ２２に対して、やや先端側かつ下側に位置している。図４〜図７に示すブラケット３０、３１、３２、３３では、平面視において、パイプ２２は基端側に位置し、パイプ３４は先端に位置している。
【００３０】
パイプ３４の長さ方向両端部には、第１ブラケット３０、第２ブラケット３３の外側に位置して、突部としての拡径部３４０が形成されている。パイプ３４の長さ方向両端部に形成された拡径部３４０は、図４〜図７では省略されている。パイプ３４の長さ方向両端部に形成された突部は、パイプ３４の端部からブラケット３０、３３が外れることを規制できるものであれば、パイプ３４の全周に形成した拡径部３４０には限定されず、パイプ３４の外面に固定したリングや、パイプ３４の周方向に部分的に形成した複数の突起でもよい。
【００３１】
パイプ３４には、第１ブラケット３０と第２ブラケット３１の間、第１ブラケット３２と第２ブラケット３３の間にそれぞれ位置して、アウターパイプ９が外装されている。第１ブラケット３０と第２ブラケット３１の間に設けたアウターパイプ９の一端９０は第１ブラケット３０の内面に当接しており、アウターパイプ９の他端９１は第２ブラケット３１の内面に当接している。第１ブラケット３２と第２ブラケット３３の間に設けたアウターパイプ９の一端９０は第１ブラケット３２の内面に当接しており、アウターパイプ９の他端９１は第２ブラケット３３の内面に当接している。
【００３２】
開口部全閉姿勢にあるオーバーヘッドドアにおいて、パネル１に室外側から室内側に向かって風圧力が加わると、パネル１は幅方向中央部位が室内側に膨出するように撓むが、大きい風圧力が作用してパネル１の撓みが大きくなると、パネル１の幅方向端部が傾き（平面視において）ながら、幅方向中央部位に引っ張られ、ローラブラケット３Ａ、３Ｂに負荷がかかる。この時に、パイプ３４を介してガイドローラ４のローラ軸４０を支持する一対のブラケット３０、３１、一対のブラケット３２、３３が互いに近づくように変形する力が作用し得るが、第１ローラブラケット３Ａのブラケット３０の内側への倒れは、ブラケット３０の内面がアウターパイプ９の一端９０に当接することで規制され、ブラケット３１の内側への倒れは、ブラケット３１の内面がアウターパイプ９の他端９１に当接することで規制される。同様に、第２ローラブラケット３Ｂのブラケット３２の内側への倒れは、ブラケット３２の内面がアウターパイプ９の一端９０に当接することで規制され、ブラケット３３の内側への倒れは、ブラケット３３の内面がアウターパイプ９の他端９１に当接することで規制される。したがって、補強手段としてアウターパイプ９を設けることで、風圧力によってパネル１が大きく撓んだ時であっても、対向状の一対のブラケット３０、３１、対向状の一対のブラケット３２、３３の先端が互いに近づく方向に変形することが規制される。
【００３３】
ローラブラケット３Ａ、３Ｂに負荷がかかった時に、パネル１の幅方向端部の挙動や力のかかり方にもよるが、ガイドローラ４のローラ軸４０を支持する一対のブラケット３０、３１、一対のブラケット３２、３３のいずれかが外側に倒れるように変形する力が作用する場合もあり得る。本実施形態では、第１ローラブラケット３Ａのブラケット３０の外側への倒れは、ブラケット３０の外面がパイプ３４の長さ方向の一端に形成された拡径部３４０（図３（Ａ）参照）に当接することで規制され、第２ローラブラケット３Ｂのブラケット３３の外側への倒れは、ブラケット３３の外面がパイプ３４の長さ方向の他端に形成された拡径部３４０（図３（Ａ）参照）に当接することで規制される。
【００３４】
図６は、図３〜図５に示す実施形態の変形例であり、パイプ３４には、第１ローラブラケット３Ａのブラケット３１と第２ローラブラケット３Ｂのブラケット３２の間に位置して、短筒のアウターパイプ９´が外嵌されている。パイプ３４にアウターパイプ９´が外嵌されている点を除いて、図３〜図５に示す実施形態と同様であり、図３〜図５に示す実施形態の記載を援用することができる。
【００３５】
アウターパイプ９´の一端は、第１ローラブラケット３Ａのブラケット３１の外面に当接しており、アウターパイプ９´の他端は、第２ローラブラケット３Ｂのブラケット３２の外面に当接している。ローラブラケット３Ａ、３Ｂに負荷がかかった時に、パネル１の幅方向端部の挙動や力のかかり方にもよるが、ガイドローラ４のローラ軸４０を支持する一対のブラケット３０、３１、一対のブラケット３２、３３のいずれかが外側に倒れるように変形する力が作用する場合もあり得る。この時、第１ローラブラケット３Ａのブラケット３１の外側への倒れは、ブラケット３１の外面がアウターパイプ９´の一端に当接することで規制され、第２ローラブラケット３Ｂのブラケット３２の外側への倒れは、ブラケット３２の外面がアウターパイプ９´の他端に当接することで規制される。
【００３６】
図３〜図６に示す実施形態において、１本のアウターパイプ９に代えて、複数の短筒のアウターパイプから補強手段を形成してもよい。例えば、第１ローラブラケット３Ａの一対のブラケット３０、３１に外嵌したアウターパイプ９を、複数のアウターパイプをパイプ３４の長さ方向に連続して密着状に外装しても良く、この場合、一連の密着状のアウターパイプセットの一端が一方のブラケット３０の内面に当接し、一連のアウターパイプセットの他端が他方のブラケット３１の内面に当接する。
【００３７】
図７に、さらに他の実施形態を示す。パイプ３４の外周には、ブラケット３０の内側に位置してブラケット３０の内面に近接ないし当接してリング９２が突設されており、ブラケット３１の内側に位置してブラケット３１の内面に近接ないし当接してリング９３が突設されており、ブラケット３１の外側に位置してブラケット３１の外面に近接ないし当接してリング９４が突設されており、ブラケット３２の外側に位置してブラケット３２の外面に近接ないし当接してリング９５が突設されており、ブラケット３２の内側に位置してブラケット３２の内面に近接ないし当接してリング９６が突設されており、ブラケット３３の内側に位置してブラケット３３の内面に近接ないし当接してリング９７が突設されている。
【００３８】
開口部全閉姿勢にあるオーバーヘッドドアにおいて、パネル１に室外側から室内側に向かって風圧力が加わると、パネル１は幅方向中央部位が室内側に膨出するように撓むが、大きい風圧力が作用してパネル１の撓みが大きくなると、パネル１の幅方向端部が傾きながら（平面視において）、幅方向中央部位に引っ張られ、ローラブラケット３Ａ、３Ｂに負荷がかかる。この時に、ガイドローラ４のローラ軸４０を支持する一対のブラケット３０、３１、一対のブラケット３２、３３が互いに近づくように変形する力が作用し得るが、第１ローラブラケット３Ａのブラケット３０の内側への倒れは、ブラケット３０の内面がリング９２に当接することで規制され、ブラケット３１の内側への倒れは、ブラケット３１の内面がリング９３に当接することで規制される。同様に、第２ローラブラケット３Ｂのブラケット３２の内側への倒れは、ブラケット３２の内面がリング９６に当接することで規制され、ブラケット３３の内側への倒れは、ブラケット３３の内面がリング９７に当接することで規制される。
【００３９】
ローラブラケット３Ａ、３Ｂに負荷がかかった時に、パネル１の幅方向端部の挙動や力のかかり方にもよるが、ガイドローラ４のローラ軸４０を支持する一対のブラケット３０、３１、一対のブラケット３２、３３のいずれかが外側に倒れるように変形する力が作用する場合もあり得る。この時、第１ローラブラケット３Ａのブラケット３１の外側への倒れは、ブラケット３１の外面がリング９４に当接することで規制され、第２ローラブラケット３Ｂのブラケット３２の外側への倒れは、ブラケット３２の外面がリング９５に当接することで規制される。
【００４０】
第１ローラブラケット３Ａのブラケット３０の外側への倒れは、ブラケット３０の外面がパイプ３４の長さ方向の一端に形成された拡径部３４０（図３（Ａ）参照）に当接することで規制され、第２ローラブラケット３Ｂのブラケット３３の外側への倒れは、ブラケット３３の外面がパイプ３４の長さ方向の他端に形成された拡径部３４０（図３（Ａ）参照）に当接することで規制される。
【００４１】
本実施形態では、パネル幅方向に隣接して２つのローラブラケット３Ａ、３Ｂを設けたが、これに限定されるものではなく、１つのローラブラケットによってガイドローラ４を支持してもよい。この場合、ローラブラケット３Ａのみによってガイドローラ４が支持されることになり、ガイドローラ４のローラ軸４０は、パネル１の室内側面部１０の幅方向両端部から対向状に突設された一対のブラケット３０、３１を挿通するパイプ３４内に受け入れられており、パイプ３４には、一対のブラケット３０、３１の少なくとも一方のブラケットの内側への倒れを規制する補強手段が設けられている。１つの態様では、前記補強手段は、一対のブラケット３０、３１間に位置して、パイプ３４に外装したアウターパイプ９である。１つの態様では、パイプ３４は、図３〜図７に示すものに比べて短尺であり、パイプ３４の外周面には、ブラケット３０の外側、ブラケット３１の外側に隣接して突部（拡径部）が形成されている。
【００４２】
本発明に係る補強手段は、一対のブラケットに限定されず、互いに対向状に突出する３つ以上の複数のブラケットの変形の防止にも適用することができる。この場合、前記ガイドローラのローラ軸は、パネル面部の幅方向両端部から対向状に突設された３つ以上のブラケットを挿通するパイプ内に受け入れられており、前記パイプには、前記３つ以上のブラケットの少なくとも一方のブラケットの内側への倒れを規制する補強手段が設けられる。１つの態様では、前記補強手段は、前記３つ以上のブラケットの隣接するブラケット間に位置して、前記パイプに外装した２つ以上のアウターパイプである。
【符号の説明】
【００４３】
１  パネル
２  ヒンジ
２０  第１プレート
２１  第２プレート
２２  パイプ
３  ローラブラケット
３Ａ  第１ローラブラケット
３０  第１ブラケット
３１  第２ブラケット
３Ｂ  第２ローラブラケット
３２  第１ブラケット
３３  第２ブラケット
３４  パイプ
３４０  拡径部
４  ガイドローラ
４０  ローラ軸
５  ガイドレール
５０  第１部位
９  アウターパイプ
９´  アウターパイプ
９２〜９７  リング
【図１】
2020122339.tif 000003
【図２】
2020122339.tif 000004
【図３】
2020122339.tif 000005
【図４】
2020122339.tif 000006
【図５】
2020122339.tif 000007
【図６】
2020122339.tif 000008
【図７】
2020122339.tif 000009
【図８】
2020122339.tif 000010
【図９】
2020122339.tif 000011